(57)【要約】      （修正有）【課題】空き施設や施設の空き時間を活用して、ソフトの著作権保護を優先し、デジタルソースをより多くの人々に堪能して頂き、ＷＥＢゲームなどを通じてグローバルなゲームでの異文化の交流の場に発展していくことを期待すると共に、集いの場や社交の場の提供、および交流の時間の提供、そして福祉施設や老人施設等へのデリバリーシアターなどを目的とする。【解決手段】デジタル再生機器の機能とソースの性能を発揮できる装置を有した場所と機器を提供し、ソースは顧客持ち込みで著作権保護を最優先し、デジタルソースを多くの人に堪能して頂き、集いの場と交流の時間を提供する設備環境のレンタルスペース。または、車で福祉施設や老人施設や学校や公民館等を廻って簡易のシアター装置で上映し、ソースは顧客持ちとすることを特徴としたデリバリーシアターサービスについてのデジタルソースのレンタルスペース。【選択図】なし【特許請求の範囲】
【請求項１】
主にデジタルソースを再生する装置と設備をレンタルにて提供する基本のビジネスモデルであり、デジタル再生の機能とソースの性能を発揮できる装置を有した設備と機器をレンタル方式で提供し、ソースは顧客持ち込みで著作権保護を最優先し、デジタルソースを多くの人に堪能して頂き、ＷＥＢゲームなどを通じてグローバルなゲームでの異文化の交流の場に発展することを期待するし、集いの場と交流の時間を提供する設備環境のデジタルソースのレンタルスペースに関するビジネスモデル。
【請求項２】
車で福祉施設や老人施設や学校等を廻って簡易のシアター装置でデジタルソースを再生して上映するビジネスであり、ソースは顧客持ちとすることを特徴としたデリバリーシアターサービスについてのデジタルソースのレンタルスペースに関するビジネスモデル。
【発明の詳細な説明】
【技術分野】
【０００１】  本発明のビジネスモデルは空き施設や施設の空き時間を活用して、ソフトの著作権保護を優先し、デジタルソースをより多くの人々に堪能して頂き、ＷＥＢゲームなどを通じてグローバルなゲームでの異文化の交流の場に発展していくことを期待すると共に、集いの場や社交の場の提供、および交流の時間の提供、そして福祉施設や老人施設等へのデリバリーシアターなどを目的としたデジタルソースのレンタルスペースに関するビジネスモデルである。
【背景技術】
【０００２】  従来のデジタルソースに関するビジネスモデルはデジタル再生機器の販売のみをベースとするものであって、デジタル再生の機能や性能を十分堪能するには特殊設備環境が必要であり一部のマニアにしか適用が困難で一般家庭や大衆向けのビジネスモデルではなかった。
【発明が解決しようとする課題】
【０００３】  ２０１０年の完全デジタル移行に伴い各放送業界が高画質、高音質に向けて開発に凌ぎをけずっており、ハイビジョンテレビなどの低価格化も進んでいるが次の課題がある。
【０００４】  デジタル再生機器の機能を十分堪能し楽しむためには迫力ある音量に対応するための設備と環境が必要であり、一般家庭への普及は未だ問題であるし、導入したとしても騒音や振動などにより近所とトラブルを生じる懸念がある。
【０００５】  すなはちデジタル再生機器の機能やソフトの性能はハイレベルの技術により向上しているが、それを観るための環境が追従していない現実である。
【０００６】  例えば５．１チャンネル化のソースも数多く販売されているが、十分な性能を発揮させるには、ある程度の音量で聴かなければ意味がなく、機能的、性能的にも宝の持ち腐れに過ぎない。
【課題を解決するための手段】
【０００７】  いまその課題を解決するためのビジネスモデルを説明すれば、
請求項１については、主にデジタルソースを再生する機器と設備をレンタルにて提供するビジネスモデルであり、デジタル再生機器の機能とソースの性能を発揮できる装置を有した場所と機器を提供するとともに、ソースは顧客の持ち込みとして著作権保護を最優先し、デジタルソースを多くの人に堪能して頂き、集いの場と交流の時間を提供する設備環境のデジタルソースのレンタルスペースに関するビジネスモデルであり具体例を記述すれば、
（イ）空き店舗や空きカラオケボックスやスナック、喫茶店等をデジタル再生スペースに適用できるように改装して短期、または長期的に町のミニシアター等として運用するし、町の複合型デジタルスペースの普及に努めるものである。
（ロ）顧客は、レンタルＤＶＤ、ホームムービー、ゲーム（光ケーブルでＷＥＢゲーム可能）などを持ち込み好みに応じて活用する。
（ハ）ソースは顧客が持ち込むこととする。
請求項２については、車で福祉施設や老人施設や学校や公民館等を廻って簡易のシアター装置でデジタルソースを上映するし、ソースを顧客持ちとすることを特徴としたデジタルソースのレンタルスペースに関するビジネスモデルである。
【作用】
【０００８】  次に本発明のビジネス方法による作用を述べると、
デジタルソースの機能を十分発揮できるデジタル再生のための環境設備と機器をレンタルし、ソースは顧客が持ち込む基本作用のビジネスモデル。
【発明を実施するための最良の形態】
【０００９】  具体実施例を述べる、
（イ）デジタル再生設備をカラオケとシアターを組み合わせたカラオケシアターシステムとして運用するビジネスモデル。
（ロ）デジタル再生設備をカラオケとシアターを併用して使用するカラオケ＆シアターシステムとして運用するビジネスモデル。
（ハ）デジタルソースのレンタルスペースビジネスに飲食や喫茶や飲料サービス等を組み合わせたビジネスモデル。
（ニ）デジタルソースのレンタルスペースビジネスにビューティーケアサービスを組み合わせたビジネスモデル。
（ホ）デジタルソースのレンタルスペースビジネスにマッサージ等の癒しサービスを組み合わせたビジネスモデル。
（ヘ）デジタルソースのレンタルスペースビジネスに出会いや交流などの交際サービスを組み合わせたビジネスモデル。
（ト）デジタルソースのレンタルスペースビジネスに社交ダンスなどの社交サービスを組み合わせたビジネスモデル。
（チ）バーやスナックや喫茶店などの空き時間をデジタルソースのレンタルスペースビジネスに活用する。
（リ）テレビゲームや冠婚葬祭などの映像や音響サービスとして提供するビジネスモデル。
【発明の効果】
【００１０】  本発明の効果を列記すれば、
（イ）町のミニデジタルソース再生スペースとして誰でもが大画面、高音質のデジタル再生機能や性能を十分堪能することができますし、町の複合型デジタルスペースの普及に貢献します。
（ロ）空き施設や空き時間をミニデジタルソース再生スペースとして利用することにより施設と時間の有効活用ができます。
（ハ）ソースは顧客持ち込み方式とするためソフトの著作権に抵触することもなく営業ができます。
（ニ）孤独なシニアなどの社交や娯楽や癒しの場として活用できます。
（ホ）上映するシアターの芸術性や迫力などによりシニアの脳を活性化してボケ防止にも有効に作用します。
（ヘ）顧客はレンタルＤＶＤ、ホームムービー、ゲーム（光ケーブルでＷＥＢゲーム可能）など持ち込んでマルチ的に楽しめます。
（ト）空き施設や空き時間を活用すれば比較的安価な設備投資で運営ができ原価償却も容易である。
（チ）設備や機器を仮設型とすれば移動や撤去が容易に行えます。
（リ）営業的に予約制が可能なため安定した利益が見込めます。
（ヌ）将来に向けて、ハイビジョンのソフトが多数出回ることが予想されるためビジネスの長期展開が可能である。
（ル）各企業のプロジェクターを使用するプレゼンテーション向けの活用スペースとしても利用できます。
【００１１】  本発明のデジタルソースのレンタルスペースに関するビジネスモデルは、より多くの人へデジタル再生機器による大画面、高音質、大迫力での感動と快適な体感と芸術的感性を提供すると共に、ビジネスとしての経済的社会的効果や心の癒しや脳の活性化や孤独感の緩和等の精神的効果など明るく楽しく健全な社会作りに大きく貢献するものであります。